【事件の表示】
　平成３年特許願第１７５８９６号「可変ビット長シリアル転送方式」拒絶査定に対する審判事件［平成４年１２月２５日出願公開、特開平４−３７３２２８］について、次のとおり審決する。
【結　論】
　本件審判の請求は、成り立たない。
【理　由】
１．手続の経緯・本願発明
　本願は、平成３年６月２１日の出願であって、特許請求の範囲の請求項１に係る発明（以下、「本願発明」という。）は、平成１４年６月３日付け手続補正書により補正された明細書及び図面の記載からみて、その特許請求の範囲の請求項１に記載された以下のとおりのものと認める。
「送信転送回路から受信転送回路に何ビットの情報が送られてくるかを予め受信転送回路に知らしめる報知手段と、前記報知手段によって報知されたビット数を記憶しておく記憶手段と、前記受信転送回路は受信する情報のビット数を監視し前記記憶手段に記憶されたビット数により情報を抽出する抽出手段とを備えたことを特徴とする可変ビット長シリアル転送方式。」
　
２．引用例
　これに対して、当審の拒絶理由に引用された実願昭６３−１３６８４号の願書に添付された明細書と図面を撮影したマイクロフィルム（実開平１−１１９２３７号公報参照、以下、「引用例」という。）には、次の事項が記載されている。
（１）アドレス信号（ＳＡ）と、データ信号（ＳＤ）と、コントロール信号（ＳＣ）と、これから転送を行なう前記アドレス信号とデータ信号のビット数を表すビット情報（ＳＢ）とを出力するコントローラと、
　コントローラから前記アドレス信号とデータ信号とコントロール信号とビット情報とを導入し、アドレス信号とデータ信号をシリアル信号（Ｓ１）へ変換すると共に、このシリアル信号（Ｓ１）の最初にこれから転送するアドレスとデータ信号のビット数を示す情報（Ｂ０，Ｂ１）を載せるようにしたコントローラ側のシリアル・インターフェースと、
　前記シリアル信号（Ｓ１）を導入し、このシリアル信号（Ｓ１）に含まれているビット数を示す情報（Ｂ０，Ｂ１）を読取り、このビット数に応じたアドレスとデータ信号をパラレルな信号へ変換して被制御機器（４）へ加える被制御機器側のシリアル・インターフェースと、
を備えたシリアル通信回路。（実用新案登録請求の範囲）
（２）本考案では、コントローラはデータ転送を行なう際に、アドレス信号及びデータ信号のビット数を示すビット情報ＳＢをシリアルＩ・Ｆ２に出力する。シリアルＩ・Ｆ２はこのビット数をシリアル通信の最初に相手側のシリアルＩ・Ｆ３に送り出し、その後指定したビット数だけアドレス信号，データ信号をシリアルで送るようにしている。従って受けとる側のシリアルＩ・Ｆ３は、最初のビット数情報によりその後送られてくるアドレス信号とデータ信号のビット数を知ることができる。その結果、本願によれば転送に必要な信号のビット数だけを転送し、無駄な情報の転送を防ぐようにしているので高速アクセスが可能となる。（５頁７〜１９行目）
（３）第１図回路のビット情報ＳＢは、第６図に示す意味を持たせている。この例ではビット情報ＳＢを２ビット（このビット数に限定しない）の信号で構成している。コントローラ１から出力されるビット情報ＳＢにより、Ｐ／Ｓ変換器２１から出力されるシリアル通信データＳ１のフォーマットが変化する。（９頁６〜１２行目）
　
　以上（１）〜（３）の記載及び添付図面ならびにこの分野における技術常識を考慮すると、上記「シリアル信号（Ｓ１）の最初にこれから転送するアドレスとデータ信号のビット数を示す情報（Ｂ０，Ｂ１）を載せるようにした」という記載は、「何ビットの情報が送られてくるかを予め相手側のシリアル・インターフェースに知らしめる」ための手段であると解されるから、当該手段を「報知手段」と呼称すると、上記「コントローラ側のシリアル・インターフェース」は「何ビットの情報が送られてくるかを予め被制御機器側のシリアル・インターフェースに知らしめる報知手段」を備えているといえる。
　また、上記「シリアル信号（Ｓ１）に含まれているビット数を示す情報（Ｂ０，Ｂ１）を読取り、このビット数に応じたアドレスとデータ信号をパラレルな信号へ変換して」という記載は、「読取ったビット数情報を、その後転送される信号のパラレル変換が終了するまでの間、何らかの形で記憶保持するとともに、前記記憶されたビット数情報に基づくビット数に応じた情報を抽出するため、受信する情報のビット数を監視し、抽出して、パラレル変換を行なう」ことと解されるから、当該「記憶保持する」ための構成及び「情報を抽出する」ための構成をそれぞれ「記憶手段」、「抽出手段」と呼称すると、上記「被制御機器側のシリアル・インターフェース」は「報知されたビット数情報を記憶しておく記憶手段」および「受信する情報のビット数を監視し前記記憶手段に記憶されたビット数情報により情報を抽出する抽出手段」を備えているといえる。
　したがって、上記引用例には以下の発明（以下、「引用発明」という。）が記載されているといえる。
「コントローラ側のシリアル・インターフェースから被制御機器側のシリアル・インターフェースに何ビットの情報が送られてくるかを予め被制御機器側のシリアル・インターフェースに知らしめる報知手段と、前記報知手段によって報知されたビット数情報を記憶しておく記憶手段と、前記被制御機器側のシリアル・インターフェースは受信する情報のビット数を監視し前記記憶手段に記憶されたビット数情報により情報を抽出する抽出手段とを備えたことを特徴とするシリアル通信回路。」
　
３．対比
　そこで、本願発明と引用発明とを対比するに、引用発明の「コントローラ側のシリアル・インターフェース」、「被制御機器側のシリアル・インターフェース」はそれぞれ本願発明でいう「送信転送回路」、「受信転送回路」と同じ意味である。
　また、引用発明の「シリアル通信回路」は上記引用例の記載（３）によれば「コントローラ１から出力されるビット情報ＳＢにより、Ｐ／Ｓ変換器２１から出力されるシリアル通信データＳ１のフォーマットが変化する」ものであるから、この構成は本願発明の「可変ビット長シリアル転送方式」と内容的に同一である。
　また、本願発明の「ビット数」と引用発明の「ビット数情報」はともに転送情報の「データサイズ」を表現しているという点で一致している。
　したがって、本願発明と引用発明は、
「送信転送回路から受信転送回路に何ビットの情報が送られてくるかを予め受信転送回路に知らしめる報知手段と、前記報知手段によって報知されたデータサイズを記憶しておく記憶手段と、前記受信転送回路は受信する情報のビット数を監視し前記記憶手段に記憶されたデータサイズにより情報を抽出する抽出手段とを備えたことを特徴とする可変ビット長シリアル転送方式。」
の点で一致し、以下の点で相違する。
　
＜相違点＞
　「データサイズ」に関し、本願発明は「ビット数」であるのに対し、引用発明は「ビット数情報」である点。
　
４．当審の判断
　そこで、上記相違点について検討するに、引用発明の「ビット数情報」は上記引用例の記載（１）によれば「これから転送するアドレスとデータ信号のビット数を示す情報」であって、該情報から転送データのビット数を知ることができるものである。一方、当該ビット数情報を構成するビット数は、上記引用例の記載（３）によれば２ビット（アドレス、データ各２種類）であるが、このビット数に制限はないのであるから、このビット数を、転送データのビット数を直接表現できる大きさまで増やし、ビット数情報の代わりにビット数そのものを利用するように構成する程度のことは当業者であれば容易なことである。
　
５．むすび
　以上のとおり、本願発明は、上記引用例に記載された発明および上記技術常識に基づいて、当業者が容易に発明をすることができたものと認められるから、特許法第２９条第２項の規定により特許を受けることができない。
　
　よって、結論のとおり審決する。